(57)【要約】【課題】使用者がブロアー用接続ホースを無理に外そうとしても壊れ難い電気掃除機を得る。【解決手段】電動送風機ケース１９が電動送風機１８を覆う。本体ケース１１が電動送風機１８、電動送風機ケース１９、吸気側フィルタ２０及び排気側フィルタ２１を覆う。排気部２３は、排気側フィルタ２１を通過し電動送風機ケース１９と本体ケース１１との間に構成された排気風路２２を通過した空気を外部に排出する。排気部２３は、ブロアー用接続ホース３５を着脱可能に取り付ける係止部３９を有し、電動送風機ケース１９に組み込まれてブロアー用接続ホース３５の着脱方向に対して固定されている。【選択図】図１１
2017000197.tif 000002
【特許請求の範囲】
【請求項１】
電動送風機と、
前記電動送風機の稼働により発生する吸引風で吸い込まれた塵埃を含む空気を旋回させる旋回室と、
前記旋回室で空気から遠心分離された塵埃を捕集する集塵室と、
前記集塵室が捕集しきれなかった微細な塵埃を前記電動送風機に吸引される前に捕集する吸気側フィルタと、
前記吸気側フィルタを通過し前記電動送風機から排出された空気を清浄する排気側フィルタと、
前記電動送風機を覆う電動送風機ケースと、
前記電動送風機、前記電動送風機ケース、前記吸気側フィルタ及び前記排気側フィルタを覆う本体ケースと、
前記排気側フィルタを通過し前記電動送風機ケースと前記本体ケースとの間に構成された排気風路を通過した空気を外部に排出する排気部とを備え、
前記排気部は、ブロアー用接続ホースを着脱可能に取り付ける係止部を有し、前記電動送風機ケースに組み込まれて前記ブロアー用接続ホースの着脱方向に対して固定されていることを特徴とする電気掃除機。
【請求項２】
前記排気部は前記電動送風機ケースに組み込まれた状態でネジにより前記電動送風機ケースに固定されていることを特徴とする請求項１に記載の電気掃除機。
【請求項３】
前記本体ケースは本体上ケースと本体下ケースを有し、
前記排気部は前記本体上ケースと前記本体下ケースで囲われていることを特徴とする請求項１又は２に記載の電気掃除機。
【請求項４】
前記排気部は、前記本体ケースから突出したリブにより前記本体ケースに固定されていることを特徴とする請求項１〜３の何れか１項に記載の電気掃除機。
【請求項５】
前記ブロアー用接続ホースは、手元操作部と、前記手元操作部からの信号を伝える電極とを有し、
前記排気部は、前記ブロアー用接続ホースの電極に接続される電極端子を有することを特徴とする請求項１〜４の何れか１項に記載の電気掃除機。
【請求項６】
前記排気部の排気口に格子が設けられていることを特徴とする請求項１〜５の何れか１項に記載の電気掃除機。
【請求項７】
前記排気部の排気口を覆う複数のフィンを持つカバー部品を更に備えることを特徴とする請求項１〜６の何れか１項に記載の電気掃除機。
【請求項８】
前記カバー部品は一端が軸受けにより前記本体ケースに取り付けられ、前記排気部の排気口に対して開閉自在であることを特徴とする請求項７に記載の電気掃除機。
【請求項９】
前記複数のフィンは内側から外側に向かって斜め上方向に傾いていることを特徴とする請求項７又は８に記載の電気掃除機。
【請求項１０】
前記本体ケースの内側底面には前記排気部に向かって斜めに上る傾斜面が設けられ、
前記電動送風機ケースと前記本体ケースとの間に構成された前記排気風路を通過した空気が前記排気部から斜め上方向に噴出されることを特徴とする請求項１〜９の何れか１項に記載の電気掃除機。
【発明の詳細な説明】
【技術分野】
【０００１】
本発明は、電気掃除機に関する。
【背景技術】
【０００２】
サイクロン掃除機は空気中のゴミをほとんど取り除いた綺麗な空気を排出する。このため、排気をブロアーとして用いて窓のサッシの溝に溜まったゴミなどを吹き飛ばすブロアー機能を備えた掃除機が提案されている（例えば、特許文献１参照）。
【先行技術文献】
【特許文献】
【０００３】
【特許文献１】特開２００４−２４８８９７号公報
【発明の概要】
【発明が解決しようとする課題】
【０００４】
従来の掃除機では、ブロアー用接続ホースを本体ケースに取り付けていた。しかし、使用者がブロアー用接続ホースを無理に外そうとして本体ケースが壊れるという問題があった。
【０００５】
本発明は、上述のような課題を解決するためになされたもので、その目的は使用者がブロアー用接続ホースを無理に外そうとしても壊れ難い電気掃除機を得るものである。
【課題を解決するための手段】
【０００６】
本発明に係る電気掃除機は、電動送風機と、前記電動送風機の稼働により発生する吸引風で吸い込まれた塵埃を含む空気を旋回させる旋回室と、前記旋回室で空気から遠心分離された塵埃を捕集する集塵室と、前記集塵室が捕集しきれなかった微細な塵埃を前記電動送風機に吸引される前に捕集する吸気側フィルタと、前記吸気側フィルタを通過し前記電動送風機から排出された空気を清浄する排気側フィルタと、前記電動送風機を覆う電動送風機ケースと、前記電動送風機、前記電動送風機ケース、前記吸気側フィルタ及び前記排気側フィルタを覆う本体ケースと、前記排気側フィルタを通過し前記電動送風機ケースと前記本体ケースとの間に構成された風路を通過した空気を外部に排出する排気部とを備え、前記排気部は、ブロアー用接続ホースを着脱可能に取り付ける係止部を有し、前記電動送風機ケースに組み込まれて前記ブロアー用接続ホースの着脱方向に対して固定されていることを特徴とする。
【発明の効果】
【０００７】
本発明ではブロアー用接続ホースを取り付ける係止部を有する排気部が電動送風機ケースに組み込まれてブロアー用接続ホースの着脱方向に対して固定されている。電動送風機やそれを覆う電動送風機ケースは動かないように頑丈に作られているため、使用者がブロアー用接続ホースを無理に外そうとしても壊れ難い。
【図面の簡単な説明】
【０００８】
【図１】本発明の実施の形態に係る電気掃除機を示す斜視図である。
【図２】本発明の実施の形態に係る電気掃除機の本体を示す側面図である。
【図３】本発明の実施の形態に係る電気掃除機の本体の中心を前後方向で切断した断面図である。
【図４】本発明の実施の形態に係る電気掃除機の排気部にブロアー用接続ホースを取り付けた状態を示す斜視図である。
【図５】ブロアー用接続ホースを取り付けていない状態の本発明の実施の形態に係る電気掃除機の本体を示す断面図である。
【図６】図５の円で囲った部分を拡大した断面図である。
【図７】本発明の実施の形態に係る電気掃除機の本体の排気口からずれた位置での断面図である。
【図８】ブロアー用接続ホースを取り付けた状態の本発明の実施の形態に係る電気掃除機の本体を示す側面図である。
【図９】ブロアー用接続ホースを取り付けた状態の本発明の実施の形態に係る電気掃除機の本体を示す断面図である。
【図１０】図９の円で囲った部分を拡大した断面図である。
【図１１】図１０の円で囲った部分を拡大した断面図である。
【図１２】ブロアー用接続ホースを取り付けた状態の本発明の実施の形態に係る電気掃除機の本体を示す断面図である。
【図１３】図１２の円で囲った部分を拡大した断面図である。
【図１４】本発明の実施の形態に係る電動送風機ケースと固定部を示す斜視図である。
【図１５】本発明の実施の形態に係る電気掃除機の本体を示す背面図である。
【図１６】本発明の実施の形態に係る電気掃除機の本体を斜め後ろから見た斜視図である。
【図１７】本発明の実施の形態に係る電気掃除機の本体を斜め後ろから見た斜視図である。
【図１８】カバー部品を取り付けた状態の本発明の実施の形態に係る電気掃除機の本体を示す断面図である。
【発明を実施するための形態】
【０００９】
図１は、本発明の実施の形態に係る電気掃除機を示す斜視図である。電気掃除機１はキャニスター型である。電気掃除機１は、吸引ヘッド２、延長パイプ３、接続パイプ４、吸引ホース５及び本体６を備える。
【００１０】
吸引ヘッド２に吸込み口が形成される。吸込み口は下向きの開口である。吸引ヘッド２は中央部に接続管を備える。吸引ヘッド２の接続管は延長パイプ３の一方の端部に着脱可能に接続される。延長パイプ３は伸縮可能であり、その長さは無段階又は多段階で調節できる。
【００１１】
接続パイプ４の一方の端部が延長パイプ３の他方の端部に着脱可能に接続される。接続パイプ４は、円筒形状の部材とこの部材に設けられた操作ハンドル７とを備える。操作ハンドル７は、吸引ヘッド２を動かすために掃除をする人が持つ部分である。操作ハンドル７に操作スイッチ８が設けられている。例えば、操作スイッチ８は、電気掃除機１の運転を制御するための複数のボタンを備える。
【００１２】
吸引ホース５の一方の端部が接続パイプ４の他方の端部に接続される。吸引ホース５の他方の端部５ａが本体６に着脱可能に接続される。吸引ホース５は、端部５ａ以外の部分が蛇腹形状であり、任意の方向に曲がる。吸引ホース５の端部５ａは、例えば硬質の複数のプラスチック部材によって円筒状に形成される。吸引ヘッド２、延長パイプ３、接続パイプ４及び吸引ホース５は、ごみを含む空気（含塵空気）を外部から本体６に導くための風路を形成する。
【００１３】
図２は、本発明の実施の形態に係る電気掃除機の本体を示す側面図である。以下の説明では、図２に示す状態を基準に上下方向を特定する。前後方向に関しては、図２の左側を前とする。本体６は、ごみを含む空気からごみを分離する機能と、分離したごみを捕集する機能とを有する。本体６は、吸引ユニット９と集塵ユニット１０とを備える。集塵ユニット１０は、吸引ユニット９に着脱可能である。吸引ユニット９は、本体ケース１１、ホース接続部１２、ハンドル１３、車輪１４、前車輪１５及び電源コード１６を備える。集塵ケース１７が本体ケース１１の前側に配置される。集塵ケース１７は一方の端部が塞がれた円筒形状であり、中心軸が斜めに配置され、斜め上方に開口する。集塵ケース１７は上部より下部が前側に突出する。集塵ユニット１０は集塵ケース１７に着脱可能に収容される。
【００１４】
ハンドル１３は、本体６を持ち上げる時に使用者が持つ棒状の把持部１３ａを有する。例えば、使用者は、階段等を掃除する時にハンドル１３を持って本体６を持ち上げる。ハンドル１３は本体ケース１１の上部に設けられ、本体ケース１１の上面から突出する。ここでは把持部１３ａは一直線状の棒状であるが、僅かに湾曲していてもよい。湾曲した形状とすることで、使用者の手に負担がかかりにくい形状とすることができる。
【００１５】
車輪１４は、本体ケース１１の後側の部分の両側に回転可能に設けられる。前車輪１５は、本体ケース１１の前側の部分に回転可能に設けられ、集塵ケース１７の下方に配置される。集塵ユニット１０が集塵ケース１７に取り付けられた状態では、前車輪１５は、集塵ユニット１０の下方に配置される。電源コード１６は、本体ケース１１の内部に設けられたコードリールに巻き付けられる。
【００１６】
図３は、本発明の実施の形態に係る電気掃除機の本体の中心を前後方向で切断した断面図である。吸引ユニット９は、本体ケース１１の内部に電動送風機１８、電動送風機ケース１９、吸気側フィルタ２０（ＨＥＰＡフィルタ）、排気側フィルタ２１（ＵＬＰＡフィルタ）、コードリール及び制御回路（不図示）を備える。電動送風機ケース１９が電動送風機１８を覆う。本体ケース１１は、電動送風機１８、電動送風機ケース１９、吸気側フィルタ２０及び排気側フィルタ２１を覆う。
【００１７】
電動送風機１８は、電源コード１６が電源に接続されると、操作スイッチ８に対する操作に応じて予め設定された吸引動作を行う。電動送風機１８が吸引動作を行うと、電動送風機１８は、電気掃除機１に形成された風路に気流を発生させる。電気掃除機１に形成された風路には、ごみを含む空気を外部から本体６に導くための風路、集塵ユニット１０に形成された風路及び排気風路２２が含まれる。気流が発生すると、吸引ヘッド２の吸込み口から床面上のごみが空気と一緒に吸い込まれる。吸引ヘッド２に吸い込まれたごみを含む空気は、延長パイプ３、接続パイプ４及び吸引ホース５を通って本体６の内部に流入する。
【００１８】
本体６の内部に流入したごみを含む空気は、ホース接続部１２を通って集塵ユニット１０に送られる。吸引ホース５がホース接続部１２に差し込まれた際に端部５ａが集塵ユニット１０に達する場合は、ごみを含む空気は、吸引ホース５から集塵ユニット１０に直接送られる。集塵ユニット１０は、ごみを含む空気からごみを分離する。集塵ユニット１０は、ごみを含む空気を高速で旋回させることにより、遠心力によってごみを分離する。即ち、集塵ユニット１０は、サイクロン分離機能を有する。集塵ユニット１０は、分離したごみを捕集し、一時的に溜めておく。このゴミをためる部分は、０次集塵室２６と一次集塵室２７である。排気風路２２には、集塵ユニット１０からゴミが取り除かれた清浄な空気が流入する。
【００１９】
本体ケース１１に、排気風路２２の要部が形成される。排気風路２２は、集塵ユニット１０でごみが取り除かれた空気を排気部２３に導くための風路である。電動送風機１８、吸気側フィルタ２０及び排気側フィルタ２１は排気風路２２に配置される。
【００２０】
ホース接続部１２に吸引ホース５の端部５ａが接続される。ホース接続部１２は、本体ケース１１の前方上側の部分に設けられ、本体ケース１１の半分の高さより上方に配置され、集塵ケース１７の周壁から前側に突出する。
【００２１】
集塵ユニット１０は、全体として円柱形状である。集塵ユニット１０は、集塵ケース１７に上方から挿入される。所定の操作を行いながら集塵ユニット１０を上方に引き抜くことにより、集塵ユニット１０を集塵ケース１７から取り外すことができる。
【００２２】
集塵ユニット１０が集塵ケース１７に取り付けられた状態では、集塵ユニット１０の中心軸は、集塵ケース１７の中心軸と同様に斜めに配置される。即ち、集塵ユニット１０は、上部より下部が前側に突出する。集塵ユニット１０は、例えば複数の成型品を備える。複数の成型品が適切に配置されることにより、集塵ユニット１０に、旋回室２４、流入風路２５、０次集塵室２６、一次集塵室２７及び流出風路２８が形成される。
【００２３】
旋回室２４は、電動送風機１８の稼働により発生する吸引風で吸い込まれた塵埃を含む空気を旋回させる。旋回室２４の上部は円柱形状である。旋回室２４の下部は、下方に向かうに従って径が小さくなる円錐台形状である。旋回室２４を形成する側壁は、旋回室２４の中心軸に直交する方向の断面が円形状である。旋回室２４の中心軸は、集塵ケース１７の中心軸に対してほぼ平行であるが、少しずれている。
【００２４】
旋回室２４を形成する側壁の上部に、流入口２９が形成される。流入風路２５は、流入口２９を介して旋回室２４に通じる。流入風路２５は、吸引ホース５等を通ってきたごみを含む空気を旋回室２４に導くための風路である。流入風路２５は、集塵ユニット１０の周壁で開口する。この開口が集塵ユニット１０のユニット流入口３０である。ユニット流入口３０は、集塵ユニット１０にごみを含む空気を取り込むための開口である。吸引ホース５等を通ってきたごみを含む空気は、ユニット流入口３０から流入風路２５に流入する。流入風路２５に流入したごみを含む空気は、流入風路２５を通過して流入口２９から旋回室２４に流入する。集塵ユニット１０が集塵ケース１７に取り付けられると、ユニット流入口３０は、ホース接続部１２に対向する。
【００２５】
旋回室２４を形成する側壁に、０次開口３１が形成される。０次開口３１は、流入口２９より下流に形成される。０次集塵室２６は、０次開口３１を介して旋回室２４に通じる。０次集塵室２６は、全体として円筒形状である。０次集塵室２６は、旋回室２４の周囲を囲むように形成される。
【００２６】
旋回室２４を形成する側壁の下端によって一次開口３２が形成される。一次開口３２は０次開口３１より下流に形成される。一次集塵室２７は一次開口３２を介して旋回室２４に通じる。一次集塵室２７は旋回室２４の下端部の周囲を囲むように形成される。一次集塵室２７は０次集塵室２６によって周囲が囲まれる。なお、０次集塵室２６と一次集塵室２７は壁により仕切られている。
【００２７】
旋回室２４に突出する流出管に、多数の微細孔によって流出口３３が形成される。旋回室２４は流出口３３を介して流出風路２８に通じる。流出風路２８は、旋回室２４の空気を集塵ユニット１０の外に流出させるための風路である。流出風路２８は、集塵ユニット１０の周壁で開口する。この開口が集塵ユニット１０のユニット流出口３４である。ユニット流出口３４は、集塵ユニット１０から空気を流出させるための開口である。旋回室２４の空気は流出口３３から流出風路２８に流入する。流出風路２８に流入した空気は流出風路２８を通過してユニット流出口３４から集塵ユニット１０の外に流出する。集塵ユニット１０が集塵ケース１７に取り付けられると、ユニット流出口３４は排気風路２２に連結される。
【００２８】
続いて、通常の掃除の際における電気掃除機の動作を説明する。電源コード１６が外部の電源に接続されると、電動送風機１８等の機器が通電する。電動送風機１８が吸引動作を開始すると、上述したように、吸引ヘッド２に吸い込まれたごみを含む空気は、ユニット流入口３０を通過して流入風路２５に流入する。流入風路２５に流入したごみを含む空気は、流入風路２５を通過し、流入口２９から旋回室２４に流入する。この時、ごみを含む空気は、旋回室２４を形成する側壁の接線方向から旋回室２４に流入する。
【００２９】
流入口２９から旋回室２４に流入した空気は、旋回室２４で予め設定された方向に回る。これにより、旋回室２４で旋回気流が形成される。この旋回気流は、中心軸近傍の強制渦領域とその外側の自由渦領域とを形成しながら、その経路構造と重力とによって下向きに流れていく。
【００３０】
上記旋回気流に含まれるごみには、遠心力が作用する。例えば繊維ごみ及び毛髪といった比較的嵩の大きなごみαは、作用する遠心力によって旋回室２４を形成する側壁に押し付けられながら落下する。このため、ごみαは、０次開口３１の高さに達すると０次開口３１を通過する。０次開口３１を通過したごみαは、０次集塵室２６に送られる。これにより、ごみαが０次集塵室２６に落下して捕集される。
【００３１】
０次開口３１から０次集塵室２６に進入しなかったごみは、旋回しながら更に下方に移動する。砂ごみ及び細かい繊維ごみといった比較的嵩の小さなごみβは、一次開口３２を通過する。これにより、ごみβは、一次集塵室２７に落下して捕集される。
【００３２】
上記旋回気流は、旋回室２４の最下部に達するとその進行方向を上向きに変える。これにより、旋回室２４の中心軸に沿って上昇気流が形成される。この上昇気流を形成する空気からはごみα及びごみβが除去されている。ごみα及びごみβが取り除かれた清浄空気は、流出口３３を通過して旋回室２４から流出する。流出口３３を通過した空気は、流出風路２８を通過してユニット流出口３４に達する。そして、清浄空気は、ユニット流出口３４を通過して排気風路２２に送られる。
【００３３】
排気風路２２に流入した清浄空気は吸気側フィルタ２０、電動送風機１８及び排気側フィルタ２１を通過する。上記のように旋回室２４で空気から遠心分離された塵埃を０次集塵室２６及び一次集塵室２７が捕集するが、それらが捕集しきれなかった微細な塵埃を電動送風機１８に吸引される前に吸気側フィルタ２０が捕集する。排気側フィルタ２１は、吸気側フィルタ２０を通過し電動送風機１８から排出された空気を清浄する。排気部２３は、排気側フィルタ２１を通過し電動送風機ケース１９と本体ケース１１との間に構成された排気風路２２を通過した空気を本体６の外部に排出する。例えば、排気部２３から排出された空気は掃除中の部屋に戻される。
【００３４】
図４は、本発明の実施の形態に係る電気掃除機の排気部にブロアー用接続ホースを取り付けた状態を示す斜視図である。電気掃除機１は上記のようにサイクロン掃除機であるため、空気中のゴミをほとんど取り除いた綺麗な空気を排出する。そこで、電気掃除機１は、本体６の排気部２３にブロアー用接続ホース３５を取り付けてブロアーを行うことができるように構成されている。ブロアー用接続ホース３５の手元操作部３６を操作して電動送風機１８を動作させると、電気掃除機１の排気がブロアー用接続ホース３５の噴出口からブロアーとして噴出される。このブロアーにより例えば窓のサッシの溝に溜まったゴミなどを吹き飛ばすことができる。なお、本実施の形態では、電気掃除機をブロアーとして用いる際に、ブロアー用接続ホース３５を用いているが、吸引ホース５をブロアーに用いてもよい。
【００３５】
図５は、ブロアー用接続ホースを取り付けていない状態の本発明の実施の形態に係る電気掃除機の本体を示す断面図である。図６は図５の円で囲った部分を拡大した断面図である。排気部２３は電動送風機ケース１９に組み込まれた状態でネジ３７により電動送風機ケース１９に固定されている。さらに、排気部２３は、本体ケース１１から突出した少なくとも１本のリブ３８により本体ケース１１にも固定されている。
【００３６】
図７は、本発明の実施の形態に係る電気掃除機の本体の排気口からずれた位置での断面図である。本体ケース１１は本体上ケース１１ａと本体下ケース１１ｂを有する。排気部２３が本体上ケース１１ａと本体下ケース１１ｂで囲われているため、デザイン性が良い。
【００３７】
図８は、ブロアー用接続ホースを取り付けた状態の本発明の実施の形態に係る電気掃除機の本体を示す側面図である。図９は、ブロアー用接続ホースを取り付けた状態の本発明の実施の形態に係る電気掃除機の本体を示す断面図である。図１０は図９の円で囲った部分を拡大した断面図である。図１１は図１０の円で囲った部分を拡大した断面図である。排気部２３は、ブロアー用接続ホース３５を着脱可能に取り付ける係止部３９を有する。ブロアー用接続ホース３５の取付け部の側面にバネ４０を介して突起部４１が設けられている。ブロアー用接続ホース３５を取り付ける場合には、ブロアー用接続ホース３５の取付け部を排気部２３に挿入して突起部４１を排気部２３の係止部３９に引っかける。ブロアー用接続ホース３５を取り外す場合には、突起部４１に連結されたボタン４２を押すことでバネ４０を収縮させて突起部４１を押し込んで係止部３９から外す。
【００３８】
図１２は、ブロアー用接続ホースを取り付けた状態の本発明の実施の形態に係る電気掃除機の本体を示す断面図である。図１３は図１２の円で囲った部分を拡大した断面図である。ブロアー用接続ホース３５は、手元操作部３６からの信号を伝える電極４３を有する。排気部２３は、ブロアー用接続ホース３５の電極４３に接続される電極端子４４を有する。
【００３９】
図１４は、本発明の実施の形態に係る電動送風機ケースと固定部を示す斜視図である。排気部２３の電極端子４４は、カバー部品４５の内部に設けられた制御回路（不図示）にリード配線４６を介して接続されている。手元操作部３６のボタンを操作することで、手元操作部３６からの信号が電極４３、電極端子４４及びリード配線４６を介して電気掃除機１の内部の制御回路に送信され、制御回路の制御により電動送風機１８の強弱を調整することができる。
【００４０】
図１５は、本発明の実施の形態に係る電気掃除機の本体を示す背面図である。排気部２３の排気口に格子４７が設けられている。この格子４７により、使用者が排気部２３の排気口の内部に手を入れるのを防ぐことができる。
【００４１】
図１６及び図１７は本発明の実施の形態に係る電気掃除機の本体を斜め後ろから見た斜視図である。複数のフィン４８を持つカバー部品４９が排気部２３の排気口を覆っている。このカバー部品４９によりブロアー機能を用いない通常の掃除中に排気口を隠すことができる。カバー部品４９は一端が軸受け５０により本体ケース１１に取り付けられ、排気部２３の排気口に対して開閉自在である。これにより、通常の掃除中はカバー部品４９により排気口を隠し、ブロアー機能を用いる場合は排気口を露出させることができる。
【００４２】
図１８は、カバー部品を取り付けた状態の本発明の実施の形態に係る電気掃除機の本体を示す断面図である。複数のフィン４８は内側から外側に向かって斜め上方向に傾いている。また、本体ケース１１の内側底面には排気部２３に向かって斜めに上る傾斜面５１が設けられている。これにより、電動送風機ケース１９と本体ケース１１との間に構成された排気風路２２を通過した空気が排気部２３から斜め上方向に噴出される。従って、掃除中の排気が斜め上方向に噴出すため、床面のゴミを撒き散らすのを防ぐことができる。
【００４３】
以上説明したように、本実施の形態ではブロアー用接続ホース３５を取り付ける係止部３９を有する排気部２３が電動送風機ケース１９に組み込まれてブロアー用接続ホース３５の着脱方向に対して固定されている。電動送風機１８やそれを覆う電動送風機ケース１９は動かないように頑丈に作られているため、使用者がブロアー用接続ホース３５を無理に外そうとしても壊れ難い。
【００４４】
また、排気部２３は電動送風機ケース１９に組み込まれた状態でネジ３７により電動送風機ケース１９に固定されている。特に、ネジ３７はブロアー用接続ホース３５の着脱方向に対して直交する方向（ブロアー用接続ホース３５の着脱方向と平行とならない方向）にねじ込まれている。これにより、排気部２３を更に強固に電動送風機ケース１９に固定することができる。さらに、排気部２３は、本体ケース１１から突出したリブ３８により本体ケース１１にも固定されている。特に、リブ３８は、ブロアー用接続ホース３５の着脱方向に対して直交する方向に突出しており、ブロアー用接続ホース３５の着脱方向に排気部２３と係合する。これにより、本体ケース１１でも排気部２３を固定することができる。
【符号の説明】
【００４５】
１１  本体ケース、１１ａ  本体上ケース、１１ｂ  本体下ケース、１８  電動送風機、１９  電動送風機ケース、２０  吸気側フィルタ、２１  排気側フィルタ、２２  排気風路、２３  排気部、２４  旋回室、２６  ０次集塵室（集塵室）、２７  一次集塵室（集塵室）、３５  ブロアー用接続ホース、３６  手元操作部、３７  ネジ、３８  リブ、３９  係止部、４３  電極、４４  電極端子、４７  格子、４８  フィン、４９  カバー部品、５０  軸受け、５１  傾斜面
【図１】
2017000197.tif 000003
【図２】
2017000197.tif 000004
【図３】
2017000197.tif 000005
【図４】
2017000197.tif 000006
【図５】
2017000197.tif 000007
【図６】
2017000197.tif 000008
【図７】
2017000197.tif 000009
【図８】
2017000197.tif 000010
【図９】
2017000197.tif 000011
【図１０】
2017000197.tif 000012
【図１１】
2017000197.tif 000013
【図１２】
2017000197.tif 000014
【図１３】
2017000197.tif 000015
【図１４】
2017000197.tif 000016
【図１５】
2017000197.tif 000017
【図１６】
2017000197.tif 000018
【図１７】
2017000197.tif 000019
【図１８】
2017000197.tif 000020